(57)【特許請求の範囲】
【請求項１】
目標対象物からの信号を受信する受信手段と、
前記受信手段の複数個所で得られる各受信信号の和信号が各受信信号の差信号より信号レベルが大きい時に、前記和信号及び前記差信号を入力してモノパルス測角処理を実行する測角処理手段と、
前記和信号を復号処理するデコード手段と、
前記測角処理手段に設けられ、前記モノパルス測角処理のオン・オフを選択的に切り替える切替手段と、
前記和信号の信号レベルと前記差信号の信号レベルとを比較し、この比較結果から前記和信号の信号レベルが前記差信号の信号レベルより大きい時に、前記切替手段をオンさせ、前記和信号の信号レベルが前記差信号の信号レベル以下の時に、前記切替手段をオフさせる切替制御手段と、
前記切替手段をバイパスさせて前記和信号を前記デコード処理手段に供給する信号供給手段と、
前記切替手段がオン時に前記測角処理手段で得られる測角処理データと、前記切替手段がオン時及びオフ時に前記デコード処理手段で得られるデコード処理データとを入力して相関処理を実行し、この処理結果から前記目標対象物に関する目標情報を得る相関処理手段とを具備したことを特徴とする二次監視レーダ装置。
【請求項２】
前記信号供給手段は、前記切替手段の前段と前記デコード処理手段との間を接続するバイパス経路を備えたことを特徴とする請求項１記載の二次監視レーダ装置。
【請求項３】
前記切替制御手段は、前記和信号及び前記差信号とは異なるオムニパターン信号を用いるとき、前記和信号の信号レベルが前記差信号の信号レベルより大きく、かつ和信号の信号レベルが前記オムニパターン信号の信号レベルより大きい場合に、前記切替手段をオンさせることを特徴とする請求項１記載の二次監視レーダ装置。
【発明の詳細な説明】
【技術分野】
【０００１】
この発明は、例えば航空管制用レーダ装置に用いられる二次監視レーダ装置に関する。
【背景技術】
【０００２】
航空管制用の二次監視レーダ装置は、例えば特許文献１に示されているように、質問信号（１０３０ＭＨｚ）を航空機上のトランスポンダ（応答装置）に送信し、このトランスポンダにより解読された質問信号に対応する応答信号（１０９０ＭＨｚ）を受信することによって航空機の識別を行なうものである。
【特許文献１】特開２００５−６９８９０号公報。
【発明の開示】
【発明が解決しようとする課題】
【０００３】
ところで、上記二次監視レーダ装置では、航空機から到来する応答信号を空中線装置で受信し、この空中線装置の複数個所で得られる各受信信号の和パターンのΣビデオ信号が各受信信号の差パターンのΔビデオ信号より信号レベルが大きい時に、モノパルス測角処理部にΣビデオ信号を入力してモノパルス測角処理を実行すると共に、デコード処理部にてΣビデオ信号をデコード処理し、スイープ相関処理部にて測角値とデコード処理データとの相関の有／無を判定し、この判定結果からターゲット情報を検出するようにしている。
【０００４】
しかし、モノパルス方式の場合、信号処理に使用するデータはΣ＞α・Δの関係を満足したデータとなるため、実際に和パターンで受信したデータ数（ヒット数）より少なくなる。このため、スイープ相関処理部にてターゲットの検出率が低減する傾向となる。
【０００５】
そこで、この発明の目的は、スイープ相関処理におけるターゲットの検出率の向上を図り得る二次監視レーダ装置を提供することにある。
【課題を解決するための手段】
【０００６】
この発明は、上記目的を達成するために、以下のように構成される。  
目標対象物からの信号を空中線装置にて受信し、空中線装置の複数個所で得られる各受信信号の和信号が各受信信号の差信号より信号レベルが大きい時に、モノパルス測角処理部にて和信号及び差信号を入力してモノパルス測角処理を実行すると共に、デコード処理部にて和信号を復号処理し、スイープ相関処理部にて測角処理データと復号処理データとを入力して相関処理を実行し、この処理結果から目標対象物に関する目標情報を得る二次監視レーダ装置において、モノパルス測角処理部に設けられ、モノパルス測角処理のオン・オフを選択的に切り替える切替手段と、和信号の信号レベルと差信号の信号レベルとを比較し、この比較結果から和信号の信号レベルが差信号の信号レベルより大きい時に、切替手段をオンさせ、和信号の信号レベルが差信号の信号レベル以下の時に、切替手段をオフさせる切替制御手段と、切替手段をバイパスさせて和信号をデコード処理部に供給する信号供給手段とを備えるようにしたものである。
【０００７】
なお、信号供給手段は、切替手段の前段とデコード処理部との間を接続するバイパス経路を備えたことを特徴とする。
【０００８】
この構成によれば、デコード処理部で処理すべく和信号はモノパルス測角処理部で処理すべく和信号とは別に専用のバイパス経路を介してデコード処理部に供給されることになり、これによりデコード処理部とモノパルス測角処理部とで別々に和信号を処理できるようにしている。従って、和信号の信号レベルが差信号の信号レベルより大きいか否かに関わらず、デコード処理部において常に全ての和信号を復号処理して多くの処理結果を得ることができ、これによりスイープ相関処理部におけるターゲットの検出率を高めることができる。
【０００９】
切替制御手段は、和信号及び差信号とは異なるオムニパターン信号を用いるとき、和信号の信号レベルが差信号の信号レベルより大きく、かつ和信号の信号レベルがオムニパターン信号の信号レベルより大きい場合に、切替手段をオンさせることを特徴とする。
【００１０】
この構成によれば、オムニパターン信号を用いる場合であっても、スイープ相関処理部におけるターゲットの検出率を高めることができる。
【発明の効果】
【００１１】
以上詳述したようにこの発明によれば、スイープ相関処理におけるターゲットの検出率の向上を図り得る二次監視レーダ装置を提供することができる。
【発明を実施するための最良の形態】
【００１２】
以下、この発明の実施形態について図面を参照して詳細に説明する。  
（第１の実施形態）  
図１は、この発明の第１の実施形態に係わる二次監視レーダ装置の構成を示すブロック図である。図１において、図中符号１１は空中線装置で、ターゲットとなる航空機からのＲＦ信号を受信する。空中線装置１１では、受信信号の和パターンの信号と差パターンの信号が得られる。このうち和パターンの信号は、受信機１２でΣビデオ信号に変換されてモノパルス測角処理部１３、デコード処理部１４及びレベル比較器１５にそれぞれ供給される。また差パターンの信号は、受信機１６でΔビデオ信号に変換されてモノパルス測角処理部１３及びレベル比較器１５にそれぞれ供給される。これらΣビデオ信号及びΔビデオ信号は、図２に示すような関係を成す。
【００１３】
レベル比較器１５は、Σビデオ信号の振幅レベルとΔビデオ信号の振幅レベルとを比較し、Σビデオ信号の振幅レベルがΔビデオ信号の振幅レベルより大きいときに、ゲート信号をモノパルス測角処理部１３に出力する。
【００１４】
モノパルス測角処理部１３は、ゲート信号が入力されたときに、Σビデオ信号とΔビデオ信号とを用いてモノパルス測角処理を実行する。
【００１５】
デコード処理部１４は、Σビデオ信号を入力してデコード処理を実行する。
【００１６】
そして、モノパルス測角処理部１３から出力されるモノパルス値及びデコード処理部１４から出力されるデコード結果は、スイープ相関処理部１７に供給される。スイープ相関処理部１７は、モノパルス値及びデコード結果を入力してスイープ相関処理を実行し、この処理結果に基づいてターゲット情報を出力する。
【００１７】
次に、上記構成における動作について説明する。  
以前は、図３に示す二次監視レーダ装置が考えられていた。なお、図３において、図１と同一部分には同一符号を付す。
【００１８】
空中線装置１１にて受信された各ＲＦ信号（和パターン、差パターン）は各々の受信機１２，１６にてΣビデオ信号、Δビデオ信号として出力される。出力された両ビデオ信号は、レベル比較器１５にて振幅レベルの比較を行い、Σ＞α・Δの関係が成立した場合のみ、スイッチＳ１をＯＮとさせ、Σ＞α・Δの条件を満足しているΣビデオ信号について、以下の信号処理が行われる。
【００１９】
信号処理ではモノパルス測角処理部１３によりモノパルス値が出力され、デコード処理部１４によりデコード結果が出力される。
【００２０】
両データはスイープ相関処理部１７により、受信した信号について相関の有／無が判定され、その判定結果をもとにターゲット情報が出力される。
【００２１】
モノパルス方式の場合、信号処理に使用するデータはΣ＞α・Δの関係を満足したデータとなるため、実際に和パターンで受信したデータ数（ヒット数）より少なくなる。このため、スイープ相関処理部にてターゲットの検出率が低減する傾向となる。
【００２２】
そこで、本実施形態では、上記スイッチＳ１をモノパルス測角処理部１３内のソフトウェア処理にて実現するようにし、受信機１２とモノパルス測角処理部１３との間を伝送路Ｄ１で接続すると共に、伝送路Ｄ１の途中からデコード処理部１４までを伝送路Ｄ２で接続するようにしている。つまり、デコード処理部１４に供給するΣビデオ信号は、モノパルス測角処理部１３によるモノパルス測角処理の実行・停止の切替処理をバイパスすることになる。
【００２３】
したがって、スイープ相関処理部１７におけるターゲットの検出率は従来の場合よりも高くなる。
【００２４】
以上のように上記第１の実施形態では、モノパルス測角処理部１３の処理の実行・停止を切り替えるためのスイッチをモノパルス測角処理部１３内のソフトウェア処理により実現するようにし、デコード処理部１４で処理すべくΣビデオ信号をモノパルス測角処理部１３で処理すべくΣビデオ信号とは別に専用の伝送路Ｄ２にて転送するようにし、これによりモノパルス測角処理部１３とデコード処理部１４とが別々にΣビデオ信号を処理できるようにしている。
【００２５】
従って、Σ＞α・Δの関係を満たすか否かに関わらず、デコード処理部１４において常に全てのΣビデオ信号をデコード処理して多くの処理結果を得ることができ、これによりスイープ相関処理部１７におけるターゲットの検出率を高めることができる。
【００２６】
（第２の実施形態）  
図４は、この発明の第２の実施形態に係わる二次監視レーダ装置の構成を示すブロック図である。図４において、上記図１と同一部分には同一符号を付して詳細な説明を省略する。
【００２７】
この第２の実施形態は、オムニパターン受信信号を受信する受信機１８を有し、この受信機１８の出力信号であるΩビデオ信号をΣビデオ信号と比較するレベル比較器１９を有する点、このレベル比較器１９とレベル比較器１５の出力がＡＮＤ回路２０に入力され出力信号がゲート信号としてモノパルス測角処理部１３に入力されている点などが、上記第１の実施形態と異なっている。
【００２８】
空中線装置１１にて受信された各ＲＦ信号（和パターン、差パターン、オムニパターン）は各々の受信機１２，１６，１８にて図５に示すようなΣビデオ信号、Δビデオ信号、Ωビデオ信号として出力される。Σビデオ信号及びΔビデオ信号はレベル比較器１５にて振幅レベルが比較され（Σ＞α・Δ）、Σビデオ信号及びΩビデオ信号はレベル比較器１９にて振幅レベルが比較され（Σ＞β・Ω）、Σ＞α・ΔかつΣ＞β・Ωを満足するゲート信号が出力される。
【００２９】
モノパルス測角処理部１３ではΣビデオ信号、Δビデオ信号、ゲート信号を入力し、Σ＞α・ΔかつΣ＞β・Ωを満足するΣビデオ信号について測角処理を行いモノパルス値を出力する。また、Σビデオ信号はデコード処理部１４にてデコード処理されデコード結果を出力する。両データはスイープ相関処理部１７により受信した信号について相関の有／無が判定され、その判定結果をもとにターゲット情報が出力される。
【００３０】
なお、レベル比較器１５およびレベル比較器１９の処理は、デジタル処理であっても実現可能である。
【００３１】
以上のように上記第２の実施形態は、ＲＳＬＳ（Receiver Side Lobe Suppression）に適用した場合であり、上記第１の実施形態と同様にスイープ相関処理にて使用するデータ数（ヒット数）が減少されることなく、ターゲットの検出率の向上を図ることが可能となる。
【００３２】
（その他の実施形態）  
なお、本発明を各実施形態に基づき説明したが、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、各実施形態に示される全構成要素から幾つかの構成要素を削除してもよい。
【図面の簡単な説明】
【００３３】
【図１】この発明の第１の実施形態に係わる二次監視レーダ装置の構成を示すブロック図。
【図２】同第１の実施形態におけるΣビデオ信号とΔビデオ信号との関係を示す図。
【図３】以前に考えられていた二次監視レーダ装置の構成を示すブロック図。
【図４】この発明の第２の実施形態に係わる二次監視レーダ装置の構成を示すブロック図。
【図５】同第２の実施形態におけるΣビデオ信号とΔビデオ信号とΩビデオ信号との関係を示す図。
【符号の説明】
【００３４】
１１…空中線装置、１２,１６,１８…受信機、１３…モノパルス測角処理部、１４…デコード処理部、１５,１９…レベル比較器、１７…スイープ相関処理部、２０…ＡＮＤ回路。
【図１】
0004746438.tif 000002
【図２】
0004746438.tif 000003
【図３】
0004746438.tif 000004
【図４】
0004746438.tif 000005
【図５】
0004746438.tif 000006